(57)【要約】【課題】  縮尺が不明な場合であっても、その図面上に記載されている図形の形状および寸法値に基づいて、寸法値を取得することができる電力を要さない縮尺スケールを提供することを課題とする。【解決手段】  縮尺スケールであって、隣り合う間隔を一定の割合で縮小又は拡大するように設けた複数本の線分を有する目盛りシートと、当該目盛りシートの進退方向と直交する方向に沿って、前記線分の一部を被計測部に近接させることができる計測部と、平行に配置された独立して回転可能な２本のローラーと、前記ローラーの一方を選択的に係合し回転させることができる操作手段を有し、前記目盛りシートの長手方向の一方および他方をそれぞれ前記２本のローラーに巻回するとともに、前記目盛りシートを前記操作手段によって一方のローラーに巻き取るようになっていること。【選択図】図１
2012137384.tif 000002
【特許請求の範囲】
【請求項１】
隣り合う間隔を一定の割合で縮小又は拡大するように設けた複数本の線分を有する目盛りシートを有し、
当該目盛りシートを進退可能に装着するとともに、
当該目盛りシートの進退方向と直交する方向に沿って、前記線分の一部を被計測部に近接させることができる計測部を設けたことを特徴とする縮尺スケール。
【請求項２】
前記線分に含まれる少なくとも一本の線は、前記目盛りシートの進退方向に沿った直線であることを特徴とする請求項１記載の縮尺スケール。
【請求項３】
前記目盛りシートには、当該目盛りシートの進退方向と直交する向きに、縮尺を表す補助線を設けたことを特徴とする請求項２記載の縮尺スケール。
【請求項４】
隣り合う間隔を一定の割合で縮小又は拡大するように設けた複数本の線分を有する目盛りシートと、
当該目盛りシートの進退方向と直交する方向に沿って、前記線分の一部を被計測部に近接させることができる計測部と、
平行に配置された独立して回転可能な２本のローラーと、
前記ローラーの一方を選択的に係合し回転させることができる操作手段を有し、
前記目盛りシートの長手方向の一方および他方をそれぞれ前記２本のローラーに巻回するとともに、前記目盛りシートを前記操作手段によって一方のローラーに巻き取るようになっていることを特徴とする縮尺スケール。
【請求項５】
隣り合う間隔を一定の割合で縮小又は拡大するように設けた複数本の線分を有する目盛りシートと、
当該目盛りシートの進退方向と直交する方向に沿って、前記線分の一部を被計測部に近接させることができる計測部と、
平行に配置された回転可能な２本のローラーと、
前記ローラーの双方と係合し回転させることができる操作手段を有し、
前記目盛りシートの長手方向の一方および他方をそれぞれ前記２本のローラーに巻回するとともに、
前記目盛りシートを、前記操作手段の操作に伴って一方のローラーから繰り出すと同時に、他方のローラーによって巻き取るようになっていることを特徴とする縮尺スケール。
【請求項６】
前記目盛りシートの移動経路上に、当該目盛りシートに弾性的に当接し、前記両ローラーによる繰り出し量と巻き取り量の差によって生じる撓みの解消および張力の緩和を行う緩衝手段を設けたことを特徴とする請求項５記載の縮尺スケール。
【発明の詳細な説明】
【技術分野】
【０００１】
本願発明は縮尺スケールに関するものである。
【背景技術】
【０００２】
測定された数値を実際の数値としてそのまま表示することができるとともに、測定値を図面の縮尺に応じた寸法に変換して表示することができる特許文献１記載の拡大縮小表示可能な物差しが知られている。
当該拡大縮小表示可能な物差しは、測定したい２点を指示する固定指示点と移動指示点を有し、測定値の表示は固定指示点と移動指示点間の距離を表示するものである。移動指示点はスライドユニットに取り付けられており、当該スライドユニットの移動距離の寸法値を計測し、当該寸法値に図面の縮尺に基づいた倍率をかけることで、実際の寸法値を表示するようになっている。
【０００３】
また、特許文献２記載の実寸法算出機能付きメジャーが知られている。当該実寸法算出機能付きメジャーは、寸法を計測するための目盛り部と当該目盛り部上を移動するカーソルを有したものであり、目盛り部の０点を計測対象の起点に合わせた後に、カーソルを手動で計測対象の終点位置まで移動させて計測対象の長さを計測するものである。計測した長さは、目盛り部にて実測された寸法と設定入力された縮尺倍率の逆数との積として表示パネルに表示する。すなわち、実測した寸法値を図面の縮尺に応じた寸法値として表示するようになっているものである。
図面の縮尺倍率が不明な場合には、入力モードを自動縮尺設定モードにして、寸法値が記入されている部位をカーソル移動によって計測し、数字キーを操作して図面上に表示されている寸法値を入力する。これにより、実寸法と図面上の表示寸法の比を求めることができ、以後実寸法を計測した際には、図面の縮尺に基づいた寸法値を表示するようになっている。
【先行技術文献】
【特許文献】
【０００４】
【特許文献１】特開平８−１４８０２号公報
【特許文献２】特開２００７−１６３２７３号公報
【発明の概要】
【発明が解決しようとする課題】
【０００５】
上記何れの計測器も、寸法値を計測するための電気的な検出手段および演算手段等を有するものである。従って、寸法値の検出や演算、演算結果の表示には全て電力が必要なものである。本発明は、当該事情に鑑み発明されたものであって、図面上に表示されている寸法値が、表示されている縮尺の数値に応じて正確なものであるか否かに関わらず、または縮尺が不明であっても、その図面上に記載されている図形の形状および寸法値に基づいて、同様の縮尺率で換算した寸法値を取得することができる、電力を要さない縮尺スケールを提供することを課題とするものである。
【課題を解決するための手段】
【０００６】
上記課題を解決するために、本願発明は以下の構成を要する。すなわち、請求項１記載の縮尺スケールは、
隣り合う間隔を一定の割合で縮小又は拡大するように設けた複数本の線分を有する目盛りシートを有し、
当該目盛りシートを進退可能に装着するとともに、
当該目盛りシートの進退方向と直交する方向に沿って、前記線分の一部を被計測部に近接させることができる計測部を設けたことを特徴とする。
【０００７】
また、請求項２記載の発明は、前記請求項１記載の縮尺スケールであって、
前記線分に含まれる少なくとも一本の線が、前記目盛りシートの進退方向に沿った直線であることを特徴とする。
【０００８】
また、請求項２記載の発明は、前記請求項２記載の縮尺スケールであって、
前記目盛りシートには、当該目盛りシートの進退方向と直交する向きに、縮尺を表す補助線を設けたことを特徴とする。
【０００９】
また、本願発明に係る縮尺スケールは以下の構成を要する。すなわち、
隣り合う間隔を一定の割合で縮小又は拡大するように設けた複数本の線分を有する目盛りシートと、
当該目盛りシートの進退方向と直交する方向に沿って、前記線分の一部を被計測部に近接させることができる計測部と、
平行に配置された独立して回転可能な２本のローラーと、
前記ローラーの一方を選択的に係合し回転させることができる操作手段を有し、
前記目盛りシートの長手方向の一方および他方をそれぞれ前記２本のローラーに巻回するとともに、前記目盛りシートを前記操作手段によって一方のローラーに巻き取るようになっていることを特徴とする。
【００１０】
また、本願発明に係る縮尺スケールは以下の構成を要する。すなわち、
隣り合う間隔を一定の割合で縮小又は拡大するように設けた複数本の線分を有する目盛りシートと、
当該目盛りシートの進退方向と直交する方向に沿って、前記線分の一部を被計測部に近接させることができる計測部と、
平行に配置された回転可能な２本のローラーと、
前記ローラーの双方と係合し回転させることができる操作手段を有し、
前記目盛りシートの長手方向の一方および他方をそれぞれ前記２本のローラーに巻回するとともに、
前記目盛りシートを、前記操作手段の操作に伴って一方のローラーから繰り出すと同時に、他方のローラーによって巻き取るようになっていることを特徴とする。
【００１１】
また、本願発明に係る発明は、上記縮尺スケールであって、
前記目盛りシートの移動経路上に、当該目盛りシートに弾性的に当接し、前記両ローラーによる繰り出し量と巻き取り量の差によって生じる撓みの解消および張力の緩和を行う緩衝手段を設けたことを特徴とする。
【発明の効果】
【００１２】
本発明に係る縮尺スケールは、目盛りシートの進退によって連続的に変化する目盛りを構成している。このため、固定的ないくつかの縮尺目盛りしか持たないスケールとは異なり、様々な縮尺で表示されている対象物を、その縮尺に応じて計測することができるという効果を有している。また、電力が不要であるという効果を有している。
【００１３】
また、本発明に係る縮尺スケールの一例では、計測用の目盛りとして機能する線分を設けた目盛りシートを、常に適度な張力を保ったまま進退させることができるようになっている。このため、計測部において目盛りシートが撓んだりすることがなく、計測に支障が生じないという効果を有している。
【図面の簡単な説明】
【００１４】
【図１】本発明に係る縮尺スケールの外観図である。
【図２】本発明に係る縮尺スケールの分解斜視図である。
【図３】本発明に係る縮尺スケールの部分断面図である。
【図４】本発明に係る縮尺スケールの動作説明図である。
【図５】本発明に係る縮尺スケールの動作説明図である。
【図６】本発明に係る縮尺スケールの動作説明図である。
【図７】本発明に用いる目盛りシートの説明図である。
【図８】本発明に係る縮尺スケールの使用例を表した説明図である。
【図９】本発明に係る縮尺スケールの使用例を説明するための図である。
【図１０】本発明の他の実施例に係る縮尺スケールの外観図である。
【図１１】本発明の他の実施例に係る縮尺スケールのカバーを外した状態の外観図である。
【図１２】本発明の他の実施例に係る縮尺スケールのカバーと目盛りシートを外した状態の外観図である。
【図１３】本発明に係る縮尺スケールの動作説明図である。
【図１４】本発明に係る縮尺スケールの動作説明図である。
【発明を実施するための形態】
【００１５】
以下、本発明を実施するための形態について説明する。図１において、１は本発明の一実施の形態として形成した縮尺スケールを示している。また、図２は、当該縮尺スケール１の分解斜視図を表している。縮尺スケール１は、平坦面上に安定して載置可能となるように略台形状の側面形状を有した横長の装置として形成されている。
縮尺スケール１の長手方向両端には、それぞれ側壁２、３が設けられている。一方の側壁２は略台形状を成し、他方の側壁３は側壁２と同様に台形状の部位を有するとともに上辺の一部を突出させた突出部４を有した形状に形成されている。当該突出部４には、側方に突出して設けられた操作手段である回転ノブ５が設けられている。当該回転ノブ５は連結軸６を介して側壁３の内面側に配置した駆動歯車７と連結しており、回転ノブ５の操作に連動して駆動歯車７を回転させるようになっている。
【００１６】
側壁２および側壁３は、距離を隔てて互いに対向するように、連結バー８によって結合されている。
連結バー８は、板状の側壁２と側壁３が平行を成すように配置するとともに、各側壁２および側壁３に設けた軸受孔９（９ａ、９ｂ）の軸心および軸受孔１０（１０ａ、１０ｂ）の軸心を一致させる作用を有している。当該軸受孔９および軸受孔１０は、それぞれ計測用の目盛りとなる線分を印刷した目盛りシート１１を巻き付けるための第１ローラー１２と第２ローラー１３両端の軸部を回転可能に支持する部位となっている。当該軸受孔９および軸受孔１０には、必要に応じてスリーブ状の樹脂軸受、ボールベアリング等が装着され、第１ローラー１２と第２ローラー１３が円滑に回転できるように支持するようになっている。
【００１７】
第１ローラー１２と第２ローラー１３の側壁３側には、それぞれ前記駆動歯車７と咬合可能な第１歯車１４、第２歯車１５が取り付けられている。駆動歯車７と回転ノブ５を結合している連結軸６は、側壁３の側面に穿設した長孔１６内を移動および回転可能となるように軸支されている。そして、連結軸６（回転ノブ５および駆動歯車７）が長孔１６内の一方である第１ローラー１２側に移動した場合には駆動歯車７が第１ローラー１２の第１歯車１４と咬合し、連結軸６（回転ノブ５および駆動歯車７）が長孔１６内の他方である第２ローラー１３側に移動した場合には駆動歯車７が第２ローラー１３の第２歯車１５と咬合するようになっている。すなわち、回転ノブ５に連動した駆動歯車７は、第１歯車１４（第１ローラー１２）との咬合と、第２歯車１５（第２ローラー１３）との咬合を選択的に行うように形成されたものである。
【００１８】
第１ローラー１２および第２ローラー１３は略同一直径に形成された中空あるいは中実のシャフトであり、前記目盛りシート１１の前後両端を装着し、目盛りシート１１を進退可能に巻き取るものである。第１ローラー１２は、回転ノブ５側からみて反時計方向に回転させた場合に目盛りシート１１を巻き取るようになっており、第２ローラー１３は、回転ノブ５側からみて時計方向に回転させた場合に目盛りシート１１を巻き取るようになっている。また、各ローラー１２、１３は、目盛りシート１１をほぼ全て巻き取った状態のときに、略台形状に形成された側壁２、３の上辺および下辺を超えない大きさとなるように形成されている。
【００１９】
側壁２と側壁３を連結する前記連結バー８の前面部には傾斜面１７が設けられている。当該傾斜面１７は、側壁２、３前面側の傾斜面と平行であり、かつ当該傾斜面よりもやや低くなる位置に設けられている。また、連結バー８の底面は、当該縮尺スケール１を載置した平面とほぼ平行を成すような平面に形成されている。傾斜面１７と底面が成す角度は鋭角であるが、傾斜面１７と底面の交差部となる前縁１８は尖ったエッジではなく、僅かな曲率で湾曲した湾曲面となっている。前縁１８は、前述した目盛りシート１１が折り返されるように接触する部位であるので、当該部位によって目盛りシート１１を切断したりしないようエッジではなく湾曲面を有するように形成されている。当該前縁１８は、使用状態において被計測部位の長さを計測する計測部となっている。
また、目盛りシート１１を巻回したローラー１２、１３を上記側壁２および側壁３で囲まれた空間に装着した後、上方から透明なカバー１９が装着されるようになっている。
【００２０】
図３は、縮尺スケール１のカバー１９を取り外した状態の、長手方向の任意の部位における第１ローラー１２および第２ローラー１３と、当該各ローラーに巻回した目盛りシート１１の様子を表した断面図を表している。
同図に示すように、縮尺スケール１内の後方に収容されている当該第１ローラー１２は、第１ローラー１２を反時計方向に回した際に、縮尺スケール１の底辺部に沿って後方に移動する目盛りシート１１を巻き取るようになっている。
また、縮尺スケール１内の前方に収容されている第２ローラー１３は、当該第２ローラー１３を時計方向に回した際に、縮尺スケール１の底辺部から連結バー８の傾斜面１７に沿って上昇移動する目盛りシート１１を巻き取るようになっている。
【００２１】
すなわち、連結バー８の傾斜面１７部における目盛りシート１１の移動に着目すると、第１ローラー１２の反時計方向への回転によって目盛りシート１１を巻き取ると、目盛りシート１１は傾斜面１７上を下方向に移動し、前縁１８部で折り返されて縮尺スケール１の底辺部に移動する。この際、第２ローラー１３も回転し目盛りシート１１が繰り出される。
また、第２ローラー１３の時計方向への回転によって目盛りシート１１を巻き取ると、縮尺スケール１の底辺部側から表出した目盛りシート１１が前縁１８部で折り返され傾斜面１７上を上方に移動する。この際、第１ローラー１２も回転し目盛りシート１１が繰り出される。
【００２２】
次に、使用者の操作による回転ノブ５と移動する目盛りシート１１の関係を説明する。
図４（ａ）は縮尺スケール１の側壁３側からみた外観図を表し、図４（ｂ）は、側壁３内側の回転ノブ５に連動した駆動歯車７と、当該駆動歯車７と咬合および咬合解除を行う第１歯車１４（第１ローラー１２）および第２歯車１５（第２ローラー１３）の関係を部分断面図として表したものである。
回転ノブ５（駆動歯車７）は、前後方向に長い長孔１６内に支持された連結軸６によって前後方向に移動可能である。図４に示した状態は、回転ノブ５が中間位置にある状態を表している。この場合、回転ノブ５に連動した駆動歯車７は、第１歯車１４と第２歯車１５の何れにも噛み合っておらず、回転ノブ５を回転させても第１歯車１４に連動する第１ローラー１２および第２歯車１５に連動する第２ローラー１３は回転しない。
また、側壁３には、第１歯車１４と第２歯車１５の外周に弾性的にそれぞれ当接する板状の規制板２０が設けられており、駆動力無しに第１歯車１４と第２歯車１５が回転するのを防止し、目盛りシート１１に撓みが生じるのを防止している。また、第１ローラー１２および第２ローラー１３のバックラッシュ的な回転を抑制するようになっている。
【００２３】
図５（ａ）は回転ノブ５を前方に移動させた状態の側壁３側からみた縮尺スケール１の外観図であり、図５（ｂ）は側壁３内側の駆動歯車７および第１歯車１４（第１ローラー１２）と第２歯車１５（第２ローラー１３）との関係を表した部分断面図である。
回転ノブ５を前方に移動させると、長孔１６内の前側端部付近まで移動した駆動歯車７が第２歯車１５（第２ローラー１３）と咬合するようになっている。この際、第１歯車１４には外部から駆動力は作用せず、第１歯車１４に当接した規制板２０によって第１ローラー１２の自由回転が適度な摩擦力によって規制される。
回転ノブ５を前方に移動させた状態で反時計方向（CCW）に回すと第２ローラー１３が時計方向（CW）に回転し、傾斜面１７上を上方に移動させながら目盛りシート１１を巻き取るようになっている。この際、第１ローラー１２に巻かれていた目盛りシート１１が引っ張られ、第１ローラー１２から繰り出されるようになっている。
【００２４】
図６（ａ）は回転ノブ５を後方に移動させた状態の側壁３側からみた縮尺スケール１の外観図であり、図６（ｂ）は側壁３内側の駆動歯車７および第１歯車１４（第１ローラー１２）と第２歯車１５（第２ローラー１３）との関係を表した部分断面図である。
回転ノブ５を後方に移動させると、長孔１６内の後側端部付近まで移動した駆動歯車７が第１歯車１４（第１ローラー１２）と咬合するようになっている。この際、第２歯車１５には外部から駆動力は作用せず、第２歯車１５に当接した規制板２０によって第２ローラー１３の自由回転が適度な摩擦力によって規制される。
回転ノブ５を後方に移動させた状態で時計方向（CW）に回すと第１ローラー１２が反時計方向（CCW）に回転し、傾斜面１７上を下方に移動させながら目盛りシート１１を巻き取るようになっている。この際、第２ローラー１３に巻かれていた目盛りシート１１が引っ張られ、第２ローラー１４から繰り出されるようになっている。
【００２５】
次に、前記縮尺スケール１に装着される目盛りシート１１について説明する。図７は、目盛りシート１１の平面図の一部を表している。目盛りシート１１は、紙若しくは合成樹脂シートで形成された肉厚が約０．０４ｍｍ、全長が１０００ｍｍ程度の帯状のシート体であり、少なくともその片面に図示するように複数本の線分が描かれたものである。なお、肉厚および全長は上記の例に限らないことはいうまでもない。
図７に示した目盛りシート１１は、線分の印刷面が傾斜面１７上において表出する向きで各ローラーに巻き取られており、図示した目盛りシート１１の右端Ｂが第１ローラー１２に巻き取られ、左端Ａが第２ローラー１３に巻き取られるようになっている。
【００２６】
印刷された線分の少なくとも1本は、ローラーの巻き取りによって進退移動する方向と一致させた基準線３０となっている。本実施の形態では、ローラーの巻き取り方向と用紙の長手方向が一致しているので、一例として前記基準線３０は、用紙側縁である端縁３１と平行を成す直線として端縁３１に最も近い位置に印刷されている。なお、当該基準線３０の印刷位置は、用紙の幅方向の中央付近であったり、その他の位置であっても差し支えがないものである。
目盛りシート１１上には、前記基準線３０と規則的な関係を保って印刷された複数の線分が印刷されている。その一例として、目盛りシート１１上には前記基準線３０を含め、
隣り合う線分同士の間隔が、基準線の長手方向に沿って一定の割合で縮小もしくは拡大するように表した複数の線分３２が印刷されている。また、基準線３０（目盛りシート１１の進退方向）と直交する向きに直線である補助線３３（３３ａ、３３ｂ、３３ｃ・・・）が印刷されている。また、当該補助線３３の末端付近の余白には、当該補助線３３を設けた部位における縮尺表示３４（３４ａ、３４ｂ、３４ｃ・・・）が印刷されている。また、各補助線３３間に等間隔で配置した補助目盛り３５を目盛りシート１１の長手方向の端縁部に印刷している。
【００２７】
また、一例として上記補助線３３ａは縮尺１／１５０が適用される位置を表し、補助線３３ｂは縮尺１／２００が適用される位置を表しており、補助目盛り３５は前記補助線間を１０等分した９本の短い線として表示されている。例えば、補助線３３ａで示した部位の線分３２の間隔は、１００ｍｍを１／１５０に縮小した約０．６６ｍｍである。また、補助線３３ｂで示した線分３２の間隔は、１００ｍｍを１／２００に縮小した０．５ｍｍである。
補助線３３ａから補助線３３ｂに至る線分３２同士の間隔は、約０．６６ｍｍから０．５ｍｍまで同じ割合（若しくは一定の関数的割合）で変化している。この関係を有する線分を目盛りシート１１の短手方向に複数並べたものが、目盛りシート１１上に印刷されている複数の線分である。
【００２８】
また、目盛りシート１１の場合、１／２００の縮尺で表す補助線３３ｂから１／３００の縮尺で表す補助線３３ｃに亘る範囲は、前記補助線３３ａ〜補助線３３ｂ間の距離よりもやや広くなっており、縮尺の割合をやや小さくしている。すなわち、目盛りシート１１の進退方向に沿って、縮尺が変化する割合を変化させている。
また、上記の例では、各線分３２が直線を成すように、線分間の間隔を一次関数的に変化させている。しかし、目盛りシート１１の長手方向における縮尺を対数的に変化させ、各線分３２を直線ではなく二次曲線あるいは対数曲線のような曲線によって形成しても差し支えないものである。このように、目盛りシート１１上に印刷する線分の形状は、直線に限らず曲線によって形成しても差し支えがない。また、前述のように、目盛りシート１１の長手方向に渡り、その区間ごとに縮尺が変化する割合を個別に設定してもよい。
【００２９】
次に、実際の使用方法を説明する。図８は、目盛りシート１１を装着した縮尺スケール１を上方から見た平面図である。
第一例として、縮尺率が１／２００で作成された地図若しくは図面上の被計測部を計測する場合について説明する。まず、縮尺スケール１の回転ノブ５を操作して目盛りシート１１を進退させ、連結バー８の前縁１８付近に目盛りシート１１の１／２００と記載されている補助線３３ｂ付近を一致させる。この操作によって、連結バー８の前縁１８部に位置する線分３２の間隔は一目盛りあたり１／２００ｍｍとなるので、縮尺スケール１が１／２００ｍｍの縮尺に合った定規となる。
図８に示した例の場合、被計測物ＤのＥ−Ｆ間の寸法を目盛りシート１１の縮尺率が１／２００と表示された補助線３３上の目盛り（前縁１８で折り返された目盛りシート１１上の線分３２）で計測すると、目盛りの数は５０である。したがって、図面Ｄ上に表された被計測物のＥ−Ｆ間の寸法は５０目盛りの２００倍である１０００ｍｍとなる。
このように、図面の縮尺が正確にわかる場合には、前縁１８部（計測部）における目盛りシート１１の縮尺を図面の縮尺と一致させて計測すればよい。
【００３０】
次に、計測をしなければならない対象図面が、不明な倍率で拡大若しくは縮小されている場合について説明する。例えばＦＡＸで受信した図面のように図柄の縮尺が不明の場合があるので、このような場合における本願縮尺スケール１の使用方法について説明する。
縮尺率が不明な図９に示すような図形を測定する場合を説明する。図９に示された図形の縮尺率は不明であるが、線分ＧＨの長さは「１０００」であると判明している。そして、不明な寸法値ＪＫの長さを、本願縮尺スケール１を用いて計測するという事例である。
【００３１】
始めに、回転ノブ５を操作して目盛りシート１１を進退させ、連結バー８の前縁１８部に目盛りの数が１００（若しくは５０、１０）、かつ幅が線分ＧＨの長さと一致する条件を探す。
目盛りの数が１００であり、かつこの１００目盛り分の距離が図９に示した図面上のＧＨの長さと一致するように回転ノブ５によって調節すると、連結バー８の前縁１８である計測部が図９に示した図面の縮尺に対応したスケール（物差し）となる。そして、このスケールを使用して線分ＪＫの長さを計測することで、当該部位の寸法値を知ることが出来るようになっている。
また、この不明な図９の縮尺倍率は、目盛りシート１１の縮尺表示３４および側縁に沿って設けられている補助目盛り３５によって知ることができる。本発明に係る縮尺スケール１は、このように尺度が不明な図面であっても、寸法値と当該寸法値に該当する長さが判明しているものであれば、別途比例計算などを要することなく、物差しで寸法値を計測するように、図中の寸法値を知ることができるものである。
【００３２】
次に、図１０〜図１４を用いて、本発明に係る第２の実施例である縮尺スケールを説明する。図１０は、第２の実施例に係る縮尺スケール５１の外観図を表しており、図１１は、装着されているカバー６９を外した状態の外観図を表している。また、図１２はカバー６９とローラーから目盛りシート１１を外した状態の外観図を表している。
当該縮尺スケール５１は、平坦面上に安定して載置可能となるように略台形状の側面形状を有した横長の装置として形成されており、長手方向両端にはそれぞれ側壁５２、５３が設けられている。一方の側壁５２は略台形状を成し、他方の側壁５３は側壁５２と同様に台形状の部位を有するとともに上辺の一部を突出させた突出部５７を有した形状に形成されている。
当該突出部５７には、側方に突出して設けられた回転ノブ５６が設けられている。当該回転ノブ５６は連結軸（図示せず）を介して側壁５３内若しくは内面側に配置した駆動歯車５８と連結しており、回転ノブ５６の操作に連動して駆動歯車５８を回転させる操作手段となっている。
【００３３】
側壁５２および側壁５３は、距離を隔てて互いに対向するように、連結バー５９によって結合されている。連結バー５９は、板状の側壁５２と側壁５３が平行を成すように配置するとともに、前述した計測用の目盛りとなる線分を印刷した目盛りシート１１を巻き付けるための第１ローラー６２と第２ローラー６３を回転可能に軸支するようになっている。
第１ローラー６２と第２ローラー６３の側壁５３側には、前記駆動歯車５８と同時に咬合する第１歯車５４および第２歯車５５が取り付けられている。すなわち、駆動歯車５８が時計方向に回転すると第１歯車５４および第２歯車５５は反時計方向に回転し、駆動歯車５８が反時計方向に回転すると第１歯車５４および第２歯車５５は時計方向に回転する。
【００３４】
第１ローラー６２および第２ローラー６３は略同一直径に形成された中空あるいは中実のシャフトであり、前記目盛りシート１１の前後両端を巻き取ったものである。
そして、駆動歯車５８が時計方向に回転すると、第１歯車５４に連動した第１ローラー６２が目盛りシート１１を巻き取る方向に回転し、これと同時に第２歯車５５に連動した第２ローラー６３に巻き取られていた目盛りシート１１が繰り出されるようになっている。
また、駆動歯車５８が反時計方向に回転すると、第１歯車５４に連動した第１ローラー６２に巻き取られていた目盛りシート１１が繰り出され、これと同時に第２歯車５５に連動した第２ローラー６３が目盛りシート１１を巻き取る方向に回転する。
このように、回転ノブ５６の操作に連動して回転する駆動歯車５８を駆動することで、第１ローラー６２および第２ローラー６３を回転させ、目盛りシート１１を移動させることができるようになっている。
【００３５】
第１実施例と同様に、側壁５２と側壁５３を連結する前記連結バー５９の前面部には傾斜面６７が設けられている。当該傾斜面６７は、側壁５２、５３前面側の傾斜面と平行であり、かつ当該傾斜面よりもやや低くなる位置に設けられている。また、連結バー５９の底面は、当該縮尺スケール５１を載置した平面とほぼ平行を成すような平面に形成されている。傾斜面６７と底面が成す角度は鋭角であるが、傾斜面６７と底面の交差部となる前縁６８は尖ったエッジではなく、僅かな曲率で湾曲した湾曲面となっている。前縁６８は、前述した目盛りシート１１が折り返されるように接触する部位であるので、当該部位によって目盛りシート１１を切断したりしないようエッジではなく湾曲面を有するように形成されている。当該前縁６８は、使用状態において被計測部位の長さを計測する計測部となっている。
また、目盛りシート１１を巻回した各ローラー６２、６３を上記側壁２および側壁３で囲まれた空間に装着した後、上方から透明なカバー６９が装着されるようになっている。
【００３６】
第２の実施例に係る縮尺スケール５１は、前述した第１の実施例に係る縮尺スケール１とは異なり、テンションローラー７０を有している。テンションローラー７０は、側壁５２と側壁５３に形成した長孔６６に支持されている。長孔６６は、縮尺スケール５１の底面と平行を成す方向に設けられており、テンションローラー７０は当該長孔６６に沿って縮尺スケール５１の底面と平行を成す前後方向に平行移動することができるようになっている。
また、テンションローラー７０は後方（連結バー５９を設けた前方とは反対の方向）に向かって、弾性的に付勢されている。テンションローラー７０を後方に付勢する手段には、一例として圧縮コイルスプリング７１を用いることができ、当該圧縮コイルスプリング７１を長孔６６内若しくは長孔６６の直近部に配置してテンションローラー７０の支持部を押している。なお、テンションローラー７０を付勢するには各種の方法があり、前記長孔６６内に圧縮コイルスプリングを装着する方法には限らないものである。
【００３７】
図１３は、側壁５３の直近部におけるカバー６９を取り外した状態の縮尺スケール５１の断面図を表しており、駆動歯車５８、第１歯車５４（第１ローラー６２）、第２歯車５５（第２ローラー６３）、テンションローラー７０、目盛りシート１１の関係を表している。また、図１４は、長手方向の任意の位置における簡略化した断面図を表している。
前述したように、第１ローラー６２および第２ローラー６３は、回転ノブ５６に連動した駆動歯車５８の回転によって同方向に回転する。そして、一方のローラーが目盛りシート１１を巻き取るときには他方のローラーが目盛りシート１１を繰り出すようになっている。両ローラー６２、６３は同一回転数で回転するものであるが、目盛りシート１１の巻き取り量および繰り出し量は、ローラーに巻かれた目盛りシート１１の巻き数によって変動する。これは、巻き数によって目盛りシート１１を含めたローラーの直径が変動し、巻き取り部として作用するローラーの外周長が変化することで、一回転毎の巻き取り量と繰り出し量が変動するためである。  
【００３８】
上記のように、第１ローラー６２と第２ローラー６３による一回転ごとの巻き取り量と繰り出し量は常に変動する。したがって、巻き取り量に対して繰り出し量が多いと目盛りシート１１を巻き取りきれずに撓んでしまい、巻き取り量に対して繰り出し量が少ないと目盛りシート１１が巻き取れなくなり無理をするとシートを破断させることになる。
本実施の形態では、上記巻き取り量と繰り出し量の差を緩衝するために上述したテンションローラー７０を設けている。
図１３および図１４に示すように、テンションローラー７０は、第１ローラー６２のさらに後方の位置に配置されており、第１ローラー６２と第２ローラー６３間に張られた目盛りシート１１に対して、弾性的に張力を付与するようになっている。これにより、巻き取り量と繰り出し量に差が生じても、テンションローラー７０がこの差を吸収して目盛りシート１１を撓ませることなく常に一定の張力で張ることができるようになっている。
【００３９】
上記構成の縮尺スケール５１は、前述した縮尺スケール１と同様に回転ノブ５６を操作して、計測部となる前縁５８の部分に所定の縮尺に合わせた目盛りシート１１移動させ、前述した方法により表示された目盛りをスケールとして図面などの寸法値を計測するようになっている。
【産業上の利用可能性】
【００４０】
本発明は、様々な縮尺で印刷表示されている図形寸法の計測や、地図上の距離を計測するスケールとして利用可能である。
【符号の説明】
【００４１】
１  縮尺スケール
２、３  側壁
４  突出部
５  回転ノブ（操作手段）
６  連結軸
７  駆動歯車
８  連結バー
９（９ａ、９ｂ）  軸受孔
１０（１０ａ、１０ｂ）  軸受孔
１１  目盛りシート
１２  第１ローラー
１３  第２ローラー
１４  第１歯車
１５  第２歯車
１６  長孔
１７  傾斜面
１８  前縁（計測部）
１９  カバー
２０  規制板
３０  基準線
３１  端縁
３２  線分
３３（３３ａ、３３ｂ、３３ｃ）  補助線
３４（３４ａ、３４ｂ、３４ｃ）  縮尺表示
３５  補助目盛り
５０  縮尺スケール
５２、５３  側壁
５４  第１歯車
５５  第２歯車
５６  回転ノブ
５７  突出部
５８  駆動歯車
５９  連結バー
６２  第１ローラー
６３  第２ローラー
６６  長孔
６７  傾斜面
６８  前縁
６９  カバー
５０  縮尺スケール
７０  テンションローラー
７１  圧縮コイルスプリング
【図１】
2012137384.tif 000003
【図２】
2012137384.tif 000004
【図３】
2012137384.tif 000005
【図４】
2012137384.tif 000006
【図５】
2012137384.tif 000007
【図６】
2012137384.tif 000008
【図７】
2012137384.tif 000009
【図８】
2012137384.tif 000010
【図９】
2012137384.tif 000011
【図１０】
2012137384.tif 000012
【図１１】
2012137384.tif 000013
【図１２】
2012137384.tif 000014
【図１３】
2012137384.tif 000015
【図１４】
2012137384.tif 000016